(57)【要約】【課題】利用者の必要とする状況に応じて、種々の放収音態様を実現する放収音装置を提供する。【解決手段】各ヒンジの回動角を検出する検出部と、スピーカ機能またはマイク機能の切替を行う入出力処理部を備えている。入出力処理部は、ヒンジの回動角に応じて素子の放収音方向を判断し、判断した各素子の放収音方向に応じてスピーカ機能またはマイク機能の切り替えを行う。例えば、４つ折りの状態では、利用者が１名であるため、装置正面を設置面とした状態で、左側面図において中央の素子５０Ｄ〜５０Ｉをマイクとし、右側の素子５０Ａ〜５０Ｃ、および左側の素子５０Ｊ〜５０Ｌをスピーカとして機能させる。【選択図】図８
2010056598.tif 000002
【特許請求の範囲】
【請求項１】
略平板形状からなり、該平板の対向する天面および底面の間を貫く貫通穴が形成された筐体と、
前記貫通穴による前記筐体の内周面に沿って、配列設置された前記貫通穴方向を放収音方向とする複数の放収音兼用素子と、
前記天面および底面から見た貫通穴の中心を基準点として、それぞれの内周面の形状が略同じになるように、前記筐体が複数の個別筐体に分割されており、
該複数の個別筐体の周方向に沿った接続部における一箇所の接続部を除く全ての接続部には、隣り合う個別筐体同士が互いの天面もしくは互いの底面で当接し合うように回動可能に連結するヒンジがそれぞれ設置されており、
前記ヒンジの回動角を検出する検出部と、
前記検出部が検出した回動角に応じて、前記放収音兼用素子の放収音方向を判断し、判断した各放収音兼用素子の放収音方向に応じてスピーカ機能またはマイク機能の切り替えを行う入出力処理部と、
を備えた放収音装置。
【請求項２】
前記検出部が検出した回動角に応じて、各放収音兼用素子の担当するチャンネルを設定するチャンネル設定部を備えた請求項１に記載の放収音装置。
【発明の詳細な説明】
【技術分野】
【０００１】
この発明は、携帯用の放音ユニットからなる放音システムであり、特にユーザの用途、要望に応じて種々の放音態様を実現する放音システムに関する。
【背景技術】
【０００２】
従来、複数のスピーカユニットを備えたスピーカアレイにおいて、各スピーカユニットに供給する音声信号に遅延を付加し、所定方向へ指向性（音声ビーム）を形成するものが提案されている（例えば特許文献１を参照）。
【０００３】
しかし、広い周波数帯域で音声ビームを形成するには多数のスピーカユニットが必要であり、装置全体が大型化するという問題があった。そこで、スピーカアレイを複数の音響ユニットに分割し、各音響ユニットを管理装置に接続し、全体として遅延制御を行うことで音声ビームを形成するものが提案されている（例えば特許文献２を参照）。特許文献２の音響システムによれば、スピーカアレイを複数に分割するため、装置全体を小型化することができる。
【特許文献１】特開平０６−２０５４９６号公報
【特許文献１】特開２００６−２６２４１６号公報
【発明の開示】
【発明が解決しようとする課題】
【０００４】
しかし、特許文献２の音響システムでは、直線状にユニットを配列するだけであり、種々の放音、収音態様を実現することができるものではなかった。例えば、音響システムを１人で用いる場合、利用者は自身の前に装置を置くことが多く、装置正面に放音面、収音面があることが望ましいが、複数人（例えば４人）で用いる場合、装置周囲を利用者が囲むことが多いため、装置全周に放音面、収音面があることが望ましい。しかし、特許文献２の音響システムでは、直線状にユニットが配列されているため、放収音面が一方向だけであり、上記のような全周方向の放収音を実現することができなかった。
【０００５】
また、特許文献２の音響システムでは、各ユニットを別個に携帯する必要があり、利便性に乏しいものであった。
【０００６】
そこで、この発明は、利用者の必要とする状況に応じて、種々の放収音態様を実現する放収音装置を提供することを目的とする。
【課題を解決するための手段】
【０００７】
この発明の放収音装置は、平板形状の筐体を貫いた貫通穴の内周面に沿って、複数の放収音兼用素子が設けられている。各放収音兼用素子は、収音した音声信号を後段に出力すればマイクとして機能し、音声信号の供給を受ければスピーカとしても機能する。放収音装置の筐体は、天面および底面から見た貫通穴の中心を基準点として、それぞれの内周面の形状が略同じになるように、複数の個別筐体に分割されている。複数の個別筐体の周方向に沿った接続部における一箇所の接続部を除く全ての接続部には、隣り合う個別筐体同士が互いの天面もしくは互いの底面で当接し合うように回動可能に連結するヒンジがそれぞれ設置されている。したがって、ヒンジの回動状態に応じて各個別筐体の態様が変化し、各個別筐体の内周面に設置された放収音兼用素子の配列パターンが変化する。
【０００８】
例えば、筐体の天面から見て、正面側、背面側、右面側、および左面側の４箇所において前記筐体を４つのユニットに分割し、右面側および左面側の２箇所において、前記分割されたユニットが天面方向に回動自在に連結されるように天面側ヒンジを設けるとともに、正面側または背面側の１箇所において、前記分割されたユニットが底面方向に回動自在に連結されるように底面側ヒンジを設けるとする。この場合、２箇所の天面側ヒンジを介して背面側の２つの分割ユニットを回動させ、筐体を２つ折りにすると、上記放収音兼用素子の放収音面は、背面方向に向く。また、さらに底面側ヒンジを介して左右のユニットを回動させ、筐体の正面方向を設置面とすると、筐体が４つ折りとなり、放収音兼用素子の放収音面が装置正面を設置面とした状態において放収音装置としての斜め上方向を向くことになる。２つ折りの状態では装置正面（または背面）方向が放収音面となるので、利用者が２名である場合に好適であるし、４つ折りの状態では装置正面を設置面とした状態において放収音装置としての斜め上方向が放収音面となるので、利用者が１名である場合に好適である。
ここで、本発明の放収音装置は、各ヒンジの回動角を検出する検出部と、スピーカ機能またはマイク機能の切替を行う入出力処理部を備えている。入出力処理部は、ヒンジの回動角に応じて放収音兼用素子の放収音方向を判断し、判断した各放収音兼用素子の放収音方向に応じてスピーカ機能またはマイク機能の切り替えを行う。例えば、４つ折りの状態では、利用者が１名であるため、中央の放収音兼用素子をマイクとし、右側および左側の放収音兼用素子をスピーカとして機能させる。
【０００９】
また、この発明の放収音装置は、検出部が検出した回動角に応じて、各放収音兼用素子の担当するチャンネルを設定するチャンネル設定部を備えていることが望ましい。
【００１０】
例えば、４つ折りの状態において、主にスピーカとして本発明の装置を用いる場合、中央の放収音兼用素子をセンタチャンネルとし、右側の放収音兼用素子をＲチャンネル、左側の放収音兼用素子をＬチャンネルとする。これにより、コンパクトな筐体でありながら複数チャンネル再生を行うことができる。
【発明の効果】
【００１１】
この発明によれば、各ヒンジの回動角に応じて内周面に設けられた放収音兼用素子のスピーカ機能またはマイク機能を切り替えるため、利用者の必要とする状況に応じて種々の放収音態様を実現することができる。
【発明を実施するための最良の形態】
【００１２】
以下、本発明に係る実施形態として、放収音装置について説明する。この放収音装置は、筐体の変形態様により種々の放収音を行うものである。
【００１３】
図１、図２、図３、および図４は、放収音装置１の外観を示す図であり、図５は、放収音装置１の構成を示すブロック図である。図１は平置き態様を示す図であり、図中の−Ｙ方向を正面方向として、（Ａ）は平面図、（Ｂ）は右側面図、図１（Ｃ）は底面図である。
【００１４】
なお、本実施形態では、天面および底面が略円形の場合を一例として示すが、天面および底面の中心を交差点としてこれらの面に平行に形成される、直交する第１対称基準線Ｌｓ１および第２対称基準線Ｌｓ２の二軸により分割される各個別筐体の内周面が、二軸に対してそれぞれ線対称となる形状であればよい。例えば、内周形状が正四角形や正六角形等の辺で表されるものであってもよく、楕円の外周辺で表されるものであってもよい。さらには、筐体の外周面は、これら正四角形や正六角形、楕円等、上述の対称性を有するものであればよい。
【００１５】
図１において、放収音装置１は、円筒形状（平板形環状体）の筐体からなる。筐体は、直径が１５ｃｍ程度、高さが５ｃｍ程度のコンパクトな筐体となっており、利用者が携帯することができるようになっている。
【００１６】
筐体の円筒内周面には、複数の素子５０Ａ〜５０Ｌが設けられている。素子５０Ａ〜５０Ｌは、スピーカまたはマイクとして機能する放収音兼用素子であり、この放収音装置１は、複数の素子をスピーカとして機能させることでスピーカアレイを実現し、複数の素子をマイクとして機能させることでマイクアレイを実現する。図１に示す状態では、各素子の放収音面は、天面から見て円筒中心方向に向いている。よって、複数の素子により構成されるアレイの放収音面は、放収音装置の全周方向に向けられている。
【００１７】
筐体は、正面方向（−Ｙ方向）、右面方向（Ｘ方向）、左面方向（−Ｘ方向）、および背面方向（Ｙ方向）の４箇所で直線状に分断されている。これにより、筐体は、ユニット１１、ユニット１２、ユニット１３、およびユニット１４の４つのユニットに分割される。
【００１８】
ユニット１２の正面右側には突出部１２１が設けられ、ユニット１３の正面左側には突出部１３１が設けられている。突出部１２１は、天面から見てユニット１２の外周に沿うように屈曲した円弧状の斜辺を有する三角柱の形状となっている。また、突出部１２１は、Ｚ方向にも突出しており、このＺ方向の突出部分の高さはユニット１１、１２の積層高さおよびユニット１３、１４の積層高さに相当する。同様に、突出部１３１は、天面から見てユニット１３の外周に沿うように屈曲した斜辺を有する三角柱の形状となっている。また、突出部１３１は、Ｚ方向にも突出しており、このＺ方向の突出部分の高さはユニット１１、１２の積層高さおよびユニット１３、１４の積層高さに相当する。
【００１９】
突出部１２１の天面には表示部２１および操作部２２が設けられており、突出部１３１の天面には、表示部２１およびボリューム操作部２３が設けられている。表示部２１は、複数のＬＥＤからなり、これらのＬＥＤの点灯、消灯を確認することで、素子がスピーカとして機能しているか、マイクとして機能しているかを確認することができる。利用者は、操作部２２を操作して各素子のスピーカ機能またはマイク機能を切り替えたり、ボリューム操作部２３を操作して音量をコントロールする。
【００２０】
ユニット１１とユニット１２の天面側は、ヒンジ５１で接続され、ユニット１３とユニット１４の天面側は、ヒンジ５３で接続されている。また、ユニット１２とユニット１３の底面側は、ヒンジ５２で接続されている。
【００２１】
ユニット１１およびユニット１２は、ヒンジ５１を介して天面方向に回動可能となっており、ユニット１２を基準にしてユニット１１を１８０度回動させると、ユニット１１の天面側がユニット１２の天面側と接触する。同様に、ユニット１４およびユニット１３は、ヒンジ５３を介して天面方向に回動可能となっており、ユニット１３を基準にしてユニット１４を回動させると、ユニット１４の天面側がユニット１３の天面側と接触する。
【００２２】
これにより、筐体は、図２に示すような半円筒形状の筐体（２つ折り態様）に変形する。図２は、２つ折り態様を示す図であり、図中の−Ｙ方向を正面方向として、（Ａ）は平面図、（Ｂ）は右側面図（Ｃ）は背面図、（Ｄ）は正面図である。
【００２３】
上記のように突出部１２１および突出部１３１は、それぞれＺ方向に突出しており、Ｚ方向の長さがユニット１１、１２の積層高さおよびユニット１３、１４の積層高さに相当するので、ユニット１１およびユニット１４を回動した場合、放収音装置１の天面が面一となり、外観上の出っ張りが無く、見た目にもすっきりとして、利用者が携帯し易いようになる。２つ折り態様では、各素子５０Ａ〜５０Ｌは、半周状に配置され、高さ方向に２段に配置される。
【００２４】
また、ユニット１２およびユニット１３は、ヒンジ５２を介して底面方向に回動可能となっており、ユニット１２およびユニット１３を底面方向に回動させると、それぞれの底面側が互いに接触し、図３に示す４つ折り態様となる。図３は、４つ折り態様を示す図であり、図中の−Ｙ方向を正面方向として、（Ａ）は平面図、（Ｂ）は右側面図、（Ｃ）は左側面図、（Ｄ）は正面を設置面とした状態での外観斜視図である。
【００２５】
図３に示す４つ折り態様では、ユニット１１〜１４の内周面により、設置状態の放収音装置１としての斜め上方面１２５が形成される。そして、各ユニット１１〜１４が、それぞれの素子の配列方向に垂直な方向に並ぶ形状であるため、斜め上方面１２５には、素子５０Ａ〜５０Ｌが３行４列パターンで配列される。なお、突出部１２１および突出部１３１は、Ｚ方向に突出しているので（図３の状態では突出部１３１は−Ｚ方向に突出）、表示部２１や操作部２２、ボリューム操作部２３が放収音面の側面側に露出し、利用者が表示部２１の確認をし、操作部２２を操作し易くなっている。また、上記のように突出部１２１および突出部１３１のＺ方向の突出高さが、ユニット１１、１２の積層高さおよびユニット１３、１４の積層高さに相当するので、筐体の正面、背面が面一となり、さらに見た目にもすっきりとして利用者が携帯し易いようになる。
【００２６】
また、図４に示すように、ユニット１２およびユニット１３を接触させずに９０度程度の回動角で回動させると、各素子の放収音面はそれぞれ装置正面を設置面とした状態において放収音装置１としての左右斜め上方向を向くことになる。この状態では、ユニット１１およびユニット１２により構成される右側ユニットとユニット１３およびユニット１４により構成される左側ユニットで、それぞれの放収音面が異なる方向（交錯するように）を向く。この場合、例えば右側ユニットがＬチャンネル音声を放音し、左側ユニットがＲチャンネル音声を放音することで、ステレオ再生を行うことができる。
【００２７】
以上のように、上記構造を備えた放収音装置１は、筐体を種々の形状に変形することができる。ここで、本発明に係る放収音装置１は、各形状に応じたスピーカ機能またはマイク機能の切り替え、チャンネル設定を行い、種々の放収音態様を実現するものである。
【００２８】
以下、放収音装置１の詳細な構成、動作について説明する。図５（Ａ）は、放収音装置１の構成を示すブロック図である。図５（Ａ）において、放収音装置１は、上記素子５０Ａ〜５０Ｌ、表示部２１、操作部２２、ボリューム操作部２３、に加え、入出力処理部６１Ａ〜６１Ｌ、アンプ（ＡＭＰ）６２Ａ〜６２Ｌ、Ａ／Ｄコンバータ（Ａ／Ｄ）６３Ａ〜６３Ｌ、マイク信号処理部６４、入出力Ｉ／Ｆ６５、スピーカ信号処理部６６、Ｄ／Ａコンバータ（Ｄ／Ａ）６７Ａ〜６７Ｌ、ＡＭＰ６８Ａ〜６８Ｌ、制御部６９、およびセンサ７０を備えている。
【００２９】
素子５０Ａ〜５０Ｌは、上述のようにスピーカまたはマイクとして機能する素子であり、振動板やボイスコイルを備えた一般的なダイナミックスピーカにより実現される。スピーカとマイクの機能の切替は入出力処理部６１Ａ〜６１Ｌが行う。入出力処理部６１Ａ〜６１Ｌが、素子５０Ａ〜５０Ｌから入力された音声信号を後段のアンプ６２Ａ〜６２Ｌに供給するとマイクとして機能し、アンプ６８Ａ〜６８Ｌから出力された音声信号を素子５０Ａ〜５０Ｌに供給するとスピーカとして機能する。入出力処理部６１Ａ〜６１Ｌにおける信号供給の切替は制御部６９により制御される。
【００３０】
なお、スピーカおよびマイクとしての機能を同時に実現することもできる。図５（Ｂ）にスピーカおよびマイクとしての機能を同時に実現する場合の入出力処理部の構成を示す。なお、入出力処理部６１Ａのみ示すが、他の入出力処理部も同様の構成である。同図（Ｂ）に示すように、入出力処理部６１Ａは、素子５０Ａから入力された音声信号を後段のアンプ６２Ａに供給するとともに、アンプ６８Ａから出力された音声信号を素子５０Ａに供給する。すなわち、素子側の端子６１１Ａとアンプ６２Ａ側の端子６１２Ａを接続し、アンプ６８Ａ側の端子６１３Ａと素子側の端子６１１Ａを接続するように設定する。端子６１１Ａと端子６１２Ａの接続を解除すればスピーカとしてのみ機能することができ、端子６１１Ａと端子６１３Ａの接続を解除すればマイクとしてのみ機能する。
【００３１】
制御部６９は、入出力処理部６１Ａ〜６１Ｌ、マイク信号処理部６４、入出力Ｉ／Ｆ６５、スピーカ信号処理部６６、および表示部２１を制御する。また、操作部２２、ボリューム操作部２３から入力されるユーザの操作態様（操作信号）に応じて、スピーカ機能またはマイク機能の切り替え指示や音量制御等を行う。
【００３２】
さらに、制御部６９は、センサ７０の出力信号に応じて入出力処理部６１Ａ〜６１Ｌのスピーカ機能またはマイク機能の切替を指示したり、各素子に入力する音声のチャンネルを設定したりする。センサ７０は、ヒンジ５１、ヒンジ５２、およびヒンジ５３の回動角を検出するものであり、検出した各ヒンジの回動角に応じた検出信号を制御部６９に入力する。制御部６９は、センサ７０から入力された検出信号によって各素子の放収音面を判断し、スピーカ機能またはマイク機能の切り替え、チャンネル設定を行う。
【００３３】
まず、各素子がマイクとして機能する場合について、音声信号の流れを説明する。素子５０Ａ〜５０Ｌから出力された音声信号は、入出力処理部６１Ａ〜６１Ｌを経てアンプ６２Ａ〜６２Ｌで増幅される。増幅された音声信号は、Ａ／Ｄコンバータ６３Ａ〜６３Ｌでデジタル音声信号に変換され、マイク信号処理部６４に入力される。
【００３４】
マイク信号処理部６４は、Ａ／Ｄコンバータ６３Ａ〜６３Ｌから入力された音声信号について遅延処理を行った後に合成し、収音ビーム信号として入出力Ｉ／Ｆ６５に出力する。各素子で収音された音声信号を遅延してから合成することで、所定方向に強い指向性（収音ビーム）を形成することができる。収音ビームを形成する方向（各音声信号の遅延量）は、制御部６９により設定される。なお、収音ビームは、同時に複数の方向に設定することもできる。
【００３５】
入出力Ｉ／Ｆ６５は、ＵＳＢ端子、ネットワーク端子、音声入力端子、音声出力端子等を有し、他の装置に音声信号を出力したり、他の装置から音声信号を入力したりする。使用する端子は、制御部６９が指示する。
【００３６】
次に、各素子がスピーカとして機能する場合について音声信号の流れを説明する。入出力Ｉ／Ｆ６５は、他の装置から入力された音声信号をスピーカ信号処理部６６に入力する。
【００３７】
スピーカ信号処理部６６は、入出力Ｉ／Ｆ６５から入力された音声信号を分岐し、遅延処理をした後にＤ／Ａコンバータ６７Ａ〜６７Ｌに出力する。各素子に供給する放音用の音声信号を遅延することで、所定方向に強い指向性（放音ビーム）を形成することができる。また、放音ビームは、同時に複数を形成することができ、音声信号のチャンネル毎に収音ビームを形成することもできる。
【００３８】
スピーカ信号処理部６６で遅延されて出力された音声信号は、それぞれＤ／Ａコンバータ６７Ａ〜６７Ｌでアナログ音声信号に変換され、アンプ６８Ａ〜６８Ｌで増幅された後、入出力処理部６１Ａ〜６１Ｌを経て素子５０Ａ〜５０Ｌに供給される。
【００３９】
このようにして、素子５０Ａ〜５０Ｌはスピーカ、またはマイクとして機能し、スピーカアレイ、マイクアレイを構成する。
【００４０】
次に、放収音装置の具体的な放音、収音態様について説明する。図６は、放収音装置１の使用態様の一例を示す図である。図６（Ａ）は、平置き態様を示す図であり、図６（Ｂ）は、２つ折り態様を示す図であり、図６（Ｃ）は、４つ折り態様を示す図である。
【００４１】
図６（Ａ）に示すように、ユニット１１、ユニット１２、ユニット１３、およびユニット１４が回動しない場合（平置き態様）、円筒内周面に設けられた各素子の放収音面は全周方向に向いている。この場合、制御部６９は、各素子の一部をスピーカ、他の一部をマイクとして機能させる。例えば、各ユニットの中央の素子５０Ｂ、５０Ｅ、５０Ｈ、および５０Ｋをマイク、残りの素子をスピーカとして機能させる。すなわち、センサ７０からヒンジ５１、５２および５３の回動角が０度である旨を示す信号が入力されたとき、制御部６９は、入出力処理部６１Ｂ、６０Ｅ、６０Ｈ、および６０Ｋが、素子５０Ｂ、５０Ｅ、５０Ｈ、および５０Ｋから入力された音声信号を後段のアンプ６２Ａ〜６２Ｌに供給するように設定する。また、残りのアンプ６８Ａ〜６８Ｌから入力された音声信号を素子５０Ａ、５０Ｃ、５０Ｄ、５０Ｆ、５０Ｇ、５０Ｉ、５０Ｊ、および５０Ｌに供給するように設定する。
この例では、装置全周に音声を放音するとともに装置全周の音声を収音するため、放収音装置１を囲むようにして複数人で利用する場合に好適である。
【００４２】
次に、同図（Ｂ）に示すように、ユニット１１およびユニット１４を１８０度回動させ、筐体を半円筒形状に変形させた場合（２つ折り態様）、円筒内周面に設けられた各素子の放収音面は、装置背面方向に向いている。この場合、センサ７０から制御部６９に、ヒンジ５１、およびヒンジ５３の回動角が１８０度である旨を示す信号が入力される。この場合においても、制御部６９は、各素子の一部をスピーカ、他の一部をマイクとして機能させる。これにより、放収音装置１は、装置背面に音声を放音するとともに、装置背面の音声を収音するため、放収音装置１の背面で複数人（２名）で利用する場合に好適となる。
【００４３】
次に、同図（Ｃ）に示すように、ユニット１２およびユニット１３を回動させ、装置正面方向を設置面とすると（４折り態様）、円筒内周面に設けられた各素子の放収音面は、左背面（−Ｘ，Ｙ方向）に向くことになる。すなわち、装置正面を設置面とした状態において放収音装置としての斜め上方向に放収音面が向く。この場合、センサ７０から制御部６９に、ヒンジ５１、５２、および５３の回動角が１８０度である旨を示す信号が入力される。この場合においても、制御部６９は、各素子の一部をスピーカ、他の一部をマイクとして機能させる。この場合、素子５０Ａは上方向、素子５０Ｂは斜め上方向、素子５０Ｃは横方向に向くことになるため、これらの方向が交錯する位置（装置の近距離）の音声を収音し易くなる。そのため、他方向のノイズ音声を収音することがない。よって、装置正面において１名で利用する場合に好適となる。
【００４４】
また、本実施形態の放収音装置は、各素子のスピーカ機能またはマイク機能の切り替え、チャンネルを設定することで以下のような動作を行う。図７は、放収音装置１の使用態様の他の例を示す図である。図７（Ａ）は放収音装置の背面図、同図（Ｂ）は、平面図である。この例では、ユニット１１およびユニット１４を１８０度回動させ、筐体を半円筒形状に変形させた場合（２つ折り態様）を示しており、センサ７０から制御部６９に、ヒンジ５１およびヒンジ５３の回動角が１８０度である旨を示す情報が入力される。
【００４５】
この例では、制御部６９は、素子５０Ｂ、５０Ｃ、５０Ｄ、５０Ｅをマイク、素子５０Ａ、５０Ｆ、５０Ｇ、５０Ｌをスピーカ、素子５０Ｈ、５０Ｉ、５０Ｊ、５０Ｋをマイクとして機能させるように入出力処理部６１Ａ〜６１Ｌを設定する。そのため、放収音装置１の放音面は背面方向（Ｙ方向）、収音面は背面右方向（Ｘ，Ｙ方向）および背面左方向（−Ｘ，Ｙ方向）に設定されることになる。このように、利用者が存在する位置を想定し、各素子の放収音面を判断してそれぞれの素子のスピーカ機能またはマイク機能を切り替えることで、利用者の発話音声を収音することができる。
【００４６】
次に、図８は、放収音装置１の使用態様のさらに他の例を示す図であり、放収音装置の左側面図である。この例では、ユニット１１およびユニット１４を１８０度回動させ、さらにユニット１２およびユニット１３を回動させ、装置正面方向を設置面としている（４つ折り態様）。この場合、円筒内周面に設けられた各素子の放収音面は、背面左方向（−Ｘ，Ｙ方向）に向く。
【００４７】
まず、図８（Ａ）に示す例では、制御部６９は、センサ７０からヒンジ５１、５２および５３の回動角が１８０度である旨を示す情報が入力された場合、素子５０Ａ〜５０ＣをＲチャンネルスピーカ、素子５０Ｄ〜５０Ｉをマイク、素子５０Ｊ〜５０ＬをＬチャンネルスピーカとして機能させる。この場合、ステレオ再生を行うことができ、音質の向上が期待できる。また、主にスピーカとして本実施形態の放収音装置を用いる場合、図８（Ｂ）に示すように、制御部６９は、素子５０Ａ〜５０ＣをＲチャンネルスピーカ、素子５０Ｄ〜５０Ｉをセンタチャンネルスピーカ、素子５０Ｊ〜５０ＬをＬチャンネルスピーカとして機能させる。この場合、３チャンネルの再生を行うことができ、さらに音質の向上が期待できる。
【００４８】
次に、図９は、放収音装置１の使用態様のさらに他の例を示す図である。この場合、ユニット１２およびユニット１３を接触させずに９０度程度の回動角で回動させる。この例では、制御部６９は、センサ７０からヒンジ５１およびヒンジ５３の回動角が１８０度であり、ヒンジ５２の回動角が９０度である旨を示す情報が入力される。このとき、制御部６９は、素子５０Ａ〜５０ＦをＬチャンネルスピーカ、素子５０Ｇ〜５０ＬをＲチャンネルスピーカとして機能させる。すなわち、ユニット１１およびユニット１２により構成される右側ユニットがＬチャンネル音声を放音し、ユニット１３およびユニット１４により構成される左側ユニットがＲチャンネル音声を放音する。この場合、装置正面を設置面とした状態において、Ｒチャンネル音声は、放収音装置１としての斜め上右方向に向かって放音され、Ｌチャンネル音声は放収音装置１としての斜め上左方向に向かって放音される。そのため、各チャンネルの音声を各耳に個別に到達させることができ、さらに音質の向上が期待できる。
【００４９】
以上のように、本実施形態の放収音装置は、筐体の変形態様により、各素子のスピーカ機能またはマイク機能を切り替えたり、放音チャンネルを設定したりすることで、利用者の必要とする状況に応じて、種々の放収音態様を実現することができる。
【００５０】
なお、本発明の放収音装置の放収音態様は上記例に限定するものではない。他の放音態様、収音態様であっても、筐体の変形態様によって各素子のスピーカ機能またはマイク機能を切り替えたり、放音チャンネルを切り替える場合、本発明の技術的範囲に含まれるものである。
【図面の簡単な説明】
【００５１】
【図１】放収音装置の外観を示す図である。
【図２】放収音装置の外観を示す図である。
【図３】放収音装置の外観を示す図である。
【図４】放収音装置の外観を示す図である。
【図５】放収音装置の構成を示すブロック図である。
【図６】放収音装置の使用態様の一例を示す図である。
【図７】放収音装置の使用態様の他の例を示す図である。
【図８】放収音装置の使用態様のさらに他の例を示す図である。
【図９】放収音装置の使用態様のさらに他の例を示す図である。
【符号の説明】
【００５２】
１−放収音装置
【図１】
2010056598.tif 000003
【図２】
2010056598.tif 000004
【図３】
2010056598.tif 000005
【図４】
2010056598.tif 000006
【図５】
2010056598.tif 000007
【図６】
2010056598.tif 000008
【図７】
2010056598.tif 000009
【図８】
2010056598.tif 000010
【図９】
2010056598.tif 000011